(57)【要約】【課題】ノート型コンピュータ１０において、筐体１５が落下衝突等の衝撃を受けたとき、筐体１５からコネクタ２０を介するＨＤ１９への衝撃伝達を緩和する。【解決手段】コネクタ２０は、プリント基板２７に固定される下側コネクタ部分３９及び案内軸４２、並びに下側コネクタ部分３９との間に上下方向間隙４０を開けて下側コネクタ部分３９の上側に配置され案内軸４２に摺動自在になっている上側コネクタ部分３８を有している。上側コネクタ部分３８は、前面側においてＨＤ１９の端子ピンを挿抜自在に挿入される。上段用及び下段用電気接続ピン５３，５４は、上端部分５６，６６では上側コネクタ部分３８のピン挿通孔４９に挿通されてＨＤ１９の端子に接続可能であり、中間部にはＵ字状弾力部６０，７０を有し、下端部分５９，６９は下側コネクタ部分３９の下方へ突出して、プリント基板２７の配線へ接続される。【選択図】　　　図８
2004071356.tif 000002
【特許請求の範囲】
【請求項１】
筐体内に収納される電気装置に分離自在に接続されるコネクタ部材、及び
前記コネクタ部材と筐体側部材とを相互に離して前記コネクタ部材を前記筐体側部材に支持し中間部に弾力部を備えかつ一端側において前記コネクタ部材の各端子を構成し他端側において前記筐体側部材の各端子へ接続される複数個の電気接続ピン、
を有していることを特徴とするコネクタ装置。
【請求項２】
前記筐体側部材は、筐体に固定されたプリント基板であることを特徴とする請求項１記載のコネクタ装置。
【請求項３】
電気装置に分離自在に接続される第１のコネクタ部分、
第２のコネクタ部分、
前記第１及び前記第２のコネクタ部分を相互に離して前記第１のコネクタ部分を前記第２のコネクタ部分に支持する弾性部材、及び
前記第１及び前記第２のコネクタ部分の相対変位を許容する中間部を有し両端部においてそれぞれ前記第１及び前記第２のコネクタ部分の端子を構成する複数個の電気接続ピン、
を有していることを特徴とするコネクタ装置。
【請求項４】
前記電気接続ピンの中間部は、前記弾性部材を兼ねる弾力変形部となっていることを特徴とする請求項３記載のコネクタ装置。
【請求項５】
前記電気接続ピンは板状金属材から構成され、該板状金属材は、厚さ方向へ曲げられた湾曲部を備え、該湾曲部が前記弾力変形部として機能することを特徴とする請求項４記載のコネクタ装置。
【請求項６】
前記第１及び第２のコネクタ部分は、複数個の端子を２段の配列で装備し、前記第１のコネクタ部分では、一方の段における端子位置と他方の段における端子位置とは列方向へ等しく、前記第２のコネクタ部分では、各段における端子位置の間隔を１ピッチとすると、一方の段における端子位置と他方の段における端子位置とは列方向へ相互に半ピッチ、ずれており、
前記電気接続ピンは、前記第１のコネクタ部分の一方の段の端子と前記第２のコネクタ部分の一方の段の端子とを構成する第１の電気接続ピンと、前記第１のコネクタ部分の他方の段の端子と前記第２のコネクタ部分の他方の段の端子とを構成する第２の電気接続ピンを含み、
前記第１及び前記第２の電気接続ピンは、前記第１のコネクタ部分の端子位置に対して中間部において端子列方向の相互に逆方向へそれぞれ１／４ピッチずつ偏移していることを特徴とする請求項５記載のコネクタ装置。
【請求項７】
前記第１の電気接続ピンの前記湾曲部と前記第２の電気接続ピンの前記湾曲部とは、前記第１のコネクタ部分に対する前記電気装置の挿抜方向へ相互にずれた位置となっていることを特徴とする請求項６記載のコネクタ装置。
【請求項８】
前記第１及び前記第２のコネクタ部分の対峙方向へ延び前記第２のコネクタ部分には固定され前記第１のコネクタ部分を延び方向へ相対変位自在に案内する案内軸、
を有していることを特徴とする請求項３記載のコネクタ装置。
【請求項９】
前記案内軸は、前記第１のコネクタ部分から突出する端部を有し、該端部は、前記電気装置を前記第１のコネクタ部分の方へ案内するガイドレールの所定穴又は溝に嵌合して、前記ガイドレールと前記第１のコネクタ部分との相互の位置決めを行うようになっていることを特徴とする請求項８記載のコネクタ装置。
【請求項１０】
前記電気装置は、前記コネクタ装置と共通の筐体内に配置されるハード・ディスク装置であることを特徴とする請求項３記載のコネクタ装置。
【請求項１１】
前記ハード・ディスク装置は、携帯型コンピュータに着脱自在に装備されるものであり、前記第２のコネクタ部分は、前記携帯型コンピュータの筐体内において該筐体に固定されるプリント基板であることを特徴とする請求項１０記載のコネクタ装置。
【発明の詳細な説明】
【０００１】
【発明の属する技術分野】
本発明は、例えばノート型コンピュータに装備されるコネクタ装置に係り、詳しくは接続する電気装置へのリバウンドに因る衝撃を緩和するコネクタ装置に関するものである。
【０００２】
【従来の技術】
ノート型コンピュータは筐体内にハード・ディスク装置を装備し、該ハード・ディスク装置は典型的にはノート型コンピュータ本体のコネクタに着脱自在に装着される。従来のノート型コンピュータでは、（ａ）ハード・ディスク装置接続用コネクタは電気回路用基板に半田付けで固定されていたり、（ｂ）ハード・ディスク装置接続用コネクタは、筐体内に特に固定せずに入れられ、かつ各端子をフレキシブルケーブルを介して電気回路用基板へ接続されている。
【０００３】
【発明が解決しようとする課題】
（ａ）の場合に、筐体からコネクタを介してハード・ディスク装置まで至る衝撃伝達経路が完全剛体であるとすれば、ノート型コンピュータの落下衝突等によりノート型コンピュータの筐体に衝撃がかかっても、ハード・ディスク装置には、筐体の受けた衝撃力を超える衝撃力はかかることはない。しかし、通常のノート型コンピュータでは、該衝撃伝達経路は完全剛体ではないので、ハード・ディスク装置は、リバウンドのために、コネクタを介して瞬間的には筐体への衝撃荷重より大きい衝撃荷重を受けることになる。これは、ハード・ディスク装置の読書きエラーの原因になる。（ｂ）の場合には、ハード・ディスク装置は、リバウンドによる増大した衝撃は受けないものの、コネクタが位置を固定されていないので、ハード・ディスク装置を着脱するときは、ハード・ディスク装置を、筐体の側部の開口から押し込んで、コネクタに接続することは困難であり、筐体を開いて、コネクタとハード・ディスク装置とを接続しなければならず、着脱作業が煩雑になる。また、ハード・ディスク装置のコネクタ側端部が不安定になるとともに、フレキシブル・ケーブルは、筐体内に占めるスペースが大きく、筐体の小型化上、支障となり易い。
【０００４】
本発明の目的は、フレキシブル・ケーブルを用いずに、接続電気装置へのリバウンド衝撃力を緩和できるコネクタ装置を提供することである。
【０００５】
【課題を解決するための手段】
本発明のコネクタ装置は、筐体内に収納される電気装置に分離自在に接続されるコネクタ部材、及びコネクタ部材と筐体側部材とを相互に離してコネクタ部材を筐体側部材に支持し中間部に弾力部を備えかつ一端側においてコネクタ部材の各端子を構成し他端側において筐体側部材の各端子へ接続される複数個の電気接続ピン、を有している。
【０００６】
また、本発明の別のコネクタ装置は、電気装置に分離自在に接続される第１のコネクタ部分、第２のコネクタ部分、
第１及び第２のコネクタ部分を相互に離して第１のコネクタ部分を第２のコネクタ部分に支持する弾性部材、及び第１及び第２のコネクタ部分の相対変位を許容する中間部を有し両端部においてそれぞれ第１及び第２のコネクタ部分の端子を構成する複数個の電気接続ピン、を有している。
【０００７】
【発明の実施の形態】
第１の実施の形態としての第１のコネクタ装置は、筐体内に収納される電気装置に分離自在に接続されるコネクタ部材、及びコネクタ部材と筐体側部材とを相互に離してコネクタ部材を筐体側部材に支持し中間部に弾力部を備えかつ一端側においてコネクタ部材の各端子を構成し他端側において筐体側部材の各端子へ接続される複数個の電気接続ピン、を有している。該第１のコネクタ装置の各要素と実施例としての後述のコネクタ２０の各要素との対応関係は次の通りである。”：”に対して左側が第１のコネクタ装置の要素、右側がコネクタ２０の要素である。筐体：筐体１５、電気装置：ＨＤ（ハードディスク装置）、コネクタ部材：上側コネクタ部分３８、筐体側部材：プリント基板２７、電気接続ピン：上段用電気接続ピン５３及び下段用電気接続ピン５４。第１のコネクタ装置は、コネクタ２０の下側コネクタ部分３９の対応要素を省略可としている。すなわち、第１のコネクタ装置において、電気接続ピンは、下側コネクタ部分３９の対応要素を経ずに、端部を筐体側部材に固定される。電気接続ピンは、例えば゛金属板を打ち抜いて製作され、コネクタ部材を筐体側部材に支持する方向へ所定の剛性をもつ。電機接続ピンは、好ましくは、延び方向の中間部において厚さ方向へ曲げられて、その曲げ部を弾力部とする。
【０００８】
第２の実施の形態としての第２のコネクタ装置は、電気装置に分離自在に接続される第１のコネクタ部分、第２のコネクタ部分、第１及び第２のコネクタ部分を相互に離して第１のコネクタ部分を第２のコネクタ部分に支持する弾性部材、及び第１及び第２のコネクタ部分の相対変位を許容する中間部を有し両端部においてそれぞれ第１及び第２のコネクタ部分の端子を構成する複数個の電気接続ピン、を有している。該第２のコネクタ装置の各要素と実施例としての後述のコネクタ２０の各要素との対応関係は次の通りである。”：”に対して左側が第２のコネクタ装置の要素、右側がコネクタ２０の要素である。電気装置：ＨＤ（ハードディスク装置）、第１のコネクタ部分：上側コネクタ部分３８、第２のコネクタ部分：下側コネクタ部分３９、弾性部材：上段用電気接続ピン５３及び下段用電気接続ピン５４、電気接続ピン：上段用電気接続ピン５３及び下段用電気接続ピン５４。
【０００９】
第２のコネクタ装置では、弾性部材が、電気接続ピンとは別個に設けられても、電機接続ピンが弾性部材を兼ねてもよいとする。電気接続ピンだけでは、十分な弾性力が確保できないとき、又は電気接続ピンは、第１及び第２のコネクタ部分の相対変位を許容するが、弾性力をほとんど発生できない材料体、構造体、又は形状体であるとき（例、線状部材）、弾性部材が電気接続ピンとは別個に設けられてもよい。
【００１０】
好ましくは、第２のコネクタ装置において、電気接続ピンの中間部は、弾性部材を兼ねる弾力変形部となっている。また、電気接続ピンは板状金属材から構成され、該板状金属材は、厚さ方向へ曲げられた湾曲部を備え、該湾曲部が弾力変形部として機能する。
【００１１】
第２のコネクタ装置の好ましい構成は次の通りである。第１及び第２のコネクタ部分は、複数個の端子を２段の配列で装備し、第１のコネクタ部分では、一方の段における端子位置と他方の段における端子位置とは列方向へ等しく、第２のコネクタ部分では、各段における端子位置の間隔を１ピッチとすると、一方の段における端子位置と他方の段における端子位置とは列方向へ相互に半ピッチ、ずれている。電気接続ピンは、第１のコネクタ部分の一方の段の端子と第２のコネクタ部分の一方の段の端子とを構成する第１の電気接続ピンと、第１のコネクタ部分の他方の段の端子と第２のコネクタ部分の他方の段の端子とを構成する第２の電気接続ピンを含む。第１及び第２の電気接続ピンは、第１のコネクタ部分の端子位置に対して中間部において端子列方向の相互に逆方向へそれぞれ１／４ピッチずつ偏移している。これにより、第１及び第２の電機接続ピンの相互の接触を回避しつつ、第１及び第２のコネクタ部分における端子の間隔を狭めて、第１及び第２のコネクタ部分をコンパクト化できる。
【００１２】
第２のコネクタ装置において、好ましくは、第１の電気接続ピンの湾曲部と第２の電気接続ピンの湾曲部とは、第１のコネクタ部分に対する電気装置の挿抜方向へ相互にずれた位置となっている。弾力部としての湾曲部が、第１及び第２の電気接続ピンとで電気装置の挿抜方向へ相互にずれた位置とされることにより、第１及び第２のコネクタ部分の対峙方向への弾性が、電気装置の挿抜方向へ一様化される。
【００１３】
好ましい第２のコネクタ装置は案内軸を有している。この案内軸は、第１及び第２のコネクタ部分の対峙方向へ延び、第２のコネクタ部分には固定され第１のコネクタ部分を延び方向へ相対変位自在に案内する。また、案内軸は、第１のコネクタ部分から突出する端部を有し、該端部は、電気装置を第１のコネクタ部分の方へ案内するガイドレールの所定穴又は溝に嵌合して、ガイドレールと第１のコネクタ部分との相互の位置決めを行うようになっている。コネクタを介しての電気装置へのリバウンド的衝撃は、典型的には、第１及び第２のコネクタ部分の対峙方向に最大となる。案内軸は、該対峙方向への第１及び第２のコネクタ部分の相対変位を許容する。案内軸は、対峙方向とは直角方向へ十分な剛性を有する。案内軸の剛性方向を第１のコネクタ部分への電気装置の接続方向に選択しておけば、第２のコネクタ装置が第２のコネクタ部分において所定の個所に固定された状態では、第１のコネクタ部分は電気装置の接続方向へ位置を固定される。したがって、作業者又はユーザーは、第１のコネクタ部分を把持せずに、電気装置を第１のコネクタ部分に接続及び第１のコネクタ部分から分離できる。
【００１４】
第２のコネクタ装置の第１のコネクタ部分へ分離自在に接続される電気装置は、例えば、第２のコネクタ装置と共通の筐体内に配置されるハード・ディスク装置である。例えば、ハード・ディスク装置は、携帯型コンピュータに着脱自在に装備されるものであり、第２のコネクタ部分は、携帯型コンピュータの筐体内において該筐体に固定されるプリント基板である。携帯型コンピュータにはノート型パーソナル・コンピュータを含む。
【００１５】
【実施例】
図１はノート型コンピュータ１０を開いた状態で示す斜視図である。ノート型コンピュータ１０は、本体１１、及び本体１１に対して開閉自在になっている液晶ディスプレイ１２を備え、キーボード１３は液晶ディスプレイ１２の上面に配備される。ＨＤカバー１４は、本体１１の筐体１５の側部に露出する。筐体１５においてＨＤカバー１４の取り付け部位は開口となっている。ＨＤカバー１４は、後述のＨＤ本体２３（図２）に分離自在に結合する。ＨＤカバー１４は、図示していないボルトにより本体１１の筐体１５に分離自在に固定され、固定時では、外観上、筐体１５と一体化している。
【００１６】
図２は本体１１内におけるＨＤ１９及びコネクタ２０等の配置関係を示す斜視図である。ＨＤ１９は、ＨＤカバー１４、及び外側の端面においてＨＤカバー１４を分離自在に固定される適宜、交換可能なＨＤ本体２３を備える。なお、ＨＤカバー１４は、その側縁部以外の個所では、ＨＤ本体２３との間に所定の間隙を開けて、ＨＤ本体２３との多少の相対変位が可能になっている。これにより、ＨＤカバー１４からＨＤ本体２３への衝撃伝達が緩和される。ＨＤ本体２３は、ＨＤの内部構造の露出を避けるために、ＨＤ内部構造物を覆うパンチ孔付きブラケット２４を有している。パンチ孔付きブラケット２４は、複数個のねじ２２によりＨＤ内部構造物の収容筐体に分離自在に固定されている。コネクタ２０は、ＩＣ等の各種電気素子を組み付けられるプリント基板２７の所定の縁部に組み付けられる。複数個の挿通孔３４は、プリント基板２７に適当に分布して、穿設され、図示しないねじは、挿通孔３４に挿通されて、筐体１５（図１）の底壁の対応隆起部に螺合し、プリント基板２７を筐体１５の底壁に固定する。ＨＤ収容ケース３０は、上方を開放しつつ、内側にＨＤ１９を受け入れ自在の空間を画定し、１対のガイド・レール３１と、コネクタ２０の方へ張り出す張出し部３３とを有している。１対のガイド・レール３１は、ＨＤ１９の側部を摺動させつつ、コネクタ２０へ接近及び離反方向へＨＤ１９を案内する。張出し部３３は、コネクタ２０の上面に載置され、該上面の上方突出部３２にその溝部を嵌合させている。上方突出部３２への張出し部３３の溝部の嵌合により、ＨＤ収容ケース３０はコネクタ２０に対して水平方向位置を位置決めされる。
【００１７】
図３は本体１１内におけるＨＤ１９の配置部の下の構造を示している。図３は、ＨＤ収容ケース３０を除去した状態で筐体１５内を示している。４個の弾性体としてのゴム３６は、ＨＤ収容ケース３０の下側の範囲において、所定長方形の頂点位置となるように、配置され、下面において筐体１５の底壁の上面に固定されている。これらゴム３６は、ＨＤカバー１４が、ＨＤ収容ケース３０へ格納されて、コネクタ２０へ接続された状態では、上面をＨＤ収容ケース３０の下面に接触させ、水平方向へのＨＤカバー１４の相対変位を許容しつつ、ＨＤカバー１４を支持する。これらゴム３６は、上下方向の衝撃が筐体１５に作用したとき、ＨＤ１９の上下振動を緩和する役目を果たす。
【００１８】
図４及び図５はそれぞれコネクタ２０の正面図及び平面図である。図６は図５においてコネクタ２０の上方から上側コネクタ部分３８及び下側コネクタ部分３９を透視して下側コネクタ部分３９の下面における電気接続ピン下端の配列を示す図である。また、図７はコネクタ２０の右側面図である。コネクタ２０は、相互に上側及び下側の関係で配置されて間に上下方向間隙４０をもつ上側コネクタ部分３８及び下側コネクタ部分３９を含む。１対の案内軸４２は、コネクタ２０の長手方向両端部に配置され、上側コネクタ部分３８及び下側コネクタ部分３９の端部を上下方向へ貫通している。下側コネクタ部分３９は案内軸４２に固着しており、上側コネクタ部分３８は、上下方向へ案内軸４２に摺動自在になっており、案内軸４２により上下方向へ案内される。各案内軸４２は、上側コネクタ部分３８の上面から上方へ突出する上方突出部３２と、下側コネクタ部分３９の下面から下方へ突出する下方突出部４４とを有している。上側コネクタ部分３８は、ＨＤ１９（図２）の方へ突出する前方張り出し部４８を有している。なお、説明の便宜上、コネクタ２０においてＨＤ１９側を前、ＨＤ１９とは反対側を後ろと定義する。上側コネクタ部分３８において、複数個のピン挿通孔４９は、上下２段に配列され、前後方向へ水平に延び、前方において前方張り出し部４８の前面に開口している。なお、図示のコネクタ２０では、ピン挿通孔４９の総数は４４個であり、ピン挿通孔４９は、上下の段にそれぞれ２２個ずつ存在する。各ピン挿通孔４９は、開口側の大径のピン先案内部分５０と、奥の小径のピン密着部５１とを備える。ピン挿通孔４９の配列は、ＨＤ１９の端子ピン（図示せず）の配列に一致させており、ＨＤ１９を上側コネクタ部分３８へ接続するために、ＨＤ１９をガイド・レール３１に沿って奥へ押し込んでいくと、ＨＤ１９の各電気接続ピンの先端が対応のピン挿通孔４９のピン先案内部分５０に挿入され、さらに、ＨＤ１９を押し込むと、ＨＤ１９の各電気接続ピンは、その先端においてピン先案内部分５０によりピン先案内部分５０の中心のピン密着部５１の方へ案内され、ピン密着部５１内に嵌入する。ＨＤ１９の各電気接続ピンは、ピン密着部５１内で上段用及び下段用電気接続ピン５３，５４と密着する。上段用及び下段用電気接続ピン５３，５４は、それぞれ上側コネクタ部分３８の上段及び下段のピン挿通孔４９に対応している。上段列のピン挿通孔４９と下段列のピン挿通孔４９とは列方向へ同一位置にある。
【００１９】
図６において、上段用電気接続ピン５３の下端部分５９の列及び下段用電気接続ピン５４の下端部分６９の列は、相互に後ろ側及び前側の位置関係になり、相互に平行に延びている。下端部分５９，６９は、図４から分かるように、案内軸４２の下段用電気接続ピン５４と同様に、下側コネクタ部分３９の下面から所定寸法、下方へ突出している。下端部分５９，６９は、下側コネクタ部分３９の下端がプリント基板２７の上面に当接するまで、プリント基板２７の対応孔へ挿通され、半田付けによりプリント基板２７に固定される。下端部分５９，６９は、プリント基板２７の対応孔への挿通及び半田付けによりプリント基板２７上の所定配線に電気接続状態になる。
【００２０】
図８及び図９は、コネクタ２０の垂直断面と共にそれぞれ上段用及び下段用電気接続ピン５３，５４の垂直面上の形状を示す図である。図１０はコネクタ２０の一部を背面から見た図である。上段用及び下段用電気接続ピン５３，５４は、板状材料を打ち抜いたものを、板厚方向へ曲げて、製作され、上下方向中間部にＵ字状弾力部６０，７０をそれぞれ装備する。このＵ字状弾力部６０，７０により上段用及び下段用電気接続ピン５３，５４は上下方向へ大きな弾性力を発生できる。該Ｕ字状弾力部６０，７０の脚部は、前後方向へ長く延びているので、上段用及び下段用電気接続ピン５３，５４は、上下方向よりは劣るものの、前後方向へも所定の弾性力を発生する。しかし、上側コネクタ部分３８及び下側コネクタ部分３９の相対変位は案内軸４２により上下方向のみに規制されるので、上段用及び下段用電気接続ピン５３，５４の弾性力は上下方向のもののみ利用される。上段用電気接続ピン５３は、上側コネクタ部分３８の上段のピン挿通孔４９のピン密着部５１にその後端から差し込まれる上端部分５６と、上端部分５６から垂下する垂下部分５７、垂下部分５７の下端に続く中間曲がり部分５８、及び中間曲がり部分５８の下端から垂下する下端部分５９を有している。Ｕ字状弾力部６０は、中間曲がり部分５８に形成され、凸側を後方へ向けている。下段用電気接続ピン５４は、上側コネクタ部分３８の下段のピン挿通孔４９のピン密着部５１にその後端から差し込まれる上端部分６６と、上端部分６６から垂下する垂下部分６７、垂下部分６７の下端に続く中間曲がり部分６８、及び中間曲がり部分６８の下端から垂下する下端部分６９を有している。Ｕ字状弾力部７０は、中間曲がり部分６８に形成され、凸側を前方へ向けている。図１０の左右方向を上段用及び下段用電気接続ピン５３，５４の幅方向と定義するとともに、ピン挿通孔４９の列方向間隔の寸法をＰ（ピッチ）と定義する。上端部分５６，６６以外の上段用及び下段用電気接続ピン５３，５４の部位は、図１０から分かるように、左右方向へ相互にＰ／２だけ偏移している。また、上段用電気接続ピン５３の垂下部分５７と下段用電気接続ピン５４の上端部分６６とは、上下方向へ重複しているが、図８又は図９から分かるように、前後方向へずれている。こうして、上段用及び下段用電気接続ピン５３，５４は相互の電気接触を回避される。上段用電気接続ピン５３は、中間曲がり部分５８において計３個のＵ字状湾曲部を有するが、その内の最も上及び最も下のＵ字状弾力部は、一方の脚部を上側コネクタ部分３８及び下側コネクタ部分３９の面接触させており、中央のＵ字状弾力部６０としてのＵ字状弾力部６０が、上段用電気接続ピン５３の上下方向弾力について中心的な役割を果たす。上段用電気接続ピン５３のＵ字状弾力部６０及び下段用電気接続ピン５４のＵ字状弾力部７０は、それぞれ下側コネクタ部分３９の後端側及び前端側の位置にあり、結果、コネクタ２０の上下方向弾力は前後方向へ一様化される。
【００２１】
ＨＤ１９の交換等のために、ＨＤ１９を筐体１５から引き抜くときは、ユーザは、ＨＤカバー１４を筐体１５に固定しているねじ（図示せず）を外して、ＨＤカバー１４を把持して、ＨＤ１９を筐体１５の外へ引き出す方向へＨＤカバー１４に力をかける。コネクタ２０の上側コネクタ部分３８及び下側コネクタ部分３９は、１対の案内軸４２によりＨＤ１９の挿抜方向へプリント基板２７に固定されているので、ＨＤ１９は、支障なく、その電気接続ピンを上側コネクタ部分３８のピン挿通孔４９から抜かれて、上側コネクタ部分３８から分離するとともに、ガイド・レール３１により案内されて、筐体１５の外へ引き出される。次に、ＨＤ１９を筐体１５内に装着するときは、ＨＤ１９の先端部を筐体１５に側部開口から挿入して、ＨＤカバー１４を押し込む。これにより、ＨＤ１９はガイド・レール３１に沿って奥へ進行し、ＨＤ１９の先端部の電気接続ピンは、コネクタ２０の上側コネクタ部分３８のピン挿通孔４９のピン先案内部分５０へ入る。コネクタ２０は案内軸４２によりＨＤ１９の挿抜方向へプリント基板２７に固定されているので、上側コネクタ部分３８はＨＤ１９の押し込み力に対して不動であり、ＨＤ１９の端子ピンは、ピン先案内部分５０の案内によりピン挿通孔４９のピン密着部５１へ深く嵌入して、上段用及び下段用電気接続ピン５３，５４と接続状態になる。
【００２２】
ノート型コンピュータ１０の使用中、すなわちＨＤ１９の作動中、筐体１５に衝撃がかかることがある。筐体１５への衝撃は、ノート型コンピュータ１０の所定量の落下衝突に因る衝撃等、筐体１５の上下方向、すなわちコネクタ２０の案内軸４２の延び方向へかかることが多い。プリント基板２７は筐体１５に固定されているので、筐体１５の衝撃はプリント基板２７からコネクタ２０を介してＨＤ１９へ伝わろうとする。しかし、下側コネクタ部分３９はプリント基板２７に固定されているのに対して、上側コネクタ部分３８は案内軸４２の軸方向へ所定量の範囲で移動自在であり、また、上段用及び下段用電気接続ピン５３，５４が案内軸４２の軸方向への案内軸４２に対する上側コネクタ部分３８の相対移動に伴いばね力を発生するので、プリント基板２７から上側コネクタ部分３８への衝撃力は、衝撃時間は増大するものの、ピーク値は十分に低下する。結果、ＨＤ１９のヘッドがディスクに衝突して、データの読み書きエラーが発生するのが抑制される。
【００２３】
まとめとして本発明の構成に関して以下の事項を開示する。
（１）：筐体内に収納される電気装置に分離自在に接続されるコネクタ部材、及び前記コネクタ部材と筐体側部材とを相互に離して前記コネクタ部材を前記筐体側部材に支持し中間部に弾力部を備えかつ一端側において前記コネクタ部材の各端子を構成し他端側において前記筐体側部材の各端子へ接続される複数個の電気接続ピン、
を有しているコネクタ装置。
（２）：前記筐体側部材は、筐体に固定されたプリント基板である（１）記載のコネクタ装置。
（３）：電気装置に分離自在に接続される第１のコネクタ部分、
第２のコネクタ部分、
前記第１及び前記第２のコネクタ部分を相互に離して前記第１のコネクタ部分を前記第２のコネクタ部分に支持する弾性部材、及び
前記第１及び前記第２のコネクタ部分の相対変位を許容する中間部を有し両端部においてそれぞれ前記第１及び前記第２のコネクタ部分の端子を構成する複数個の電気接続ピン、
を有しているコネクタ装置。
（４）：前記電気接続ピンの中間部は、前記弾性部材を兼ねる弾力変形部となっている（３）記載のコネクタ装置。
（５）：前記電気接続ピンは板状金属材から構成され、該板状金属材は、厚さ方向へ曲げられた湾曲部を備え、該湾曲部が前記弾力変形部として機能する（４）記載のコネクタ装置。
【００２４】
（６）：前記第１及び第２のコネクタ部分は、複数個の端子を２段の配列で装備し、前記第１のコネクタ部分では、一方の段における端子位置と他方の段における端子位置とは列方向へ等しく、前記第２のコネクタ部分では、各段における端子位置の間隔を１ピッチとすると、一方の段における端子位置と他方の段における端子位置とは列方向へ相互に半ピッチ、ずれており、
前記電気接続ピンは、前記第１のコネクタ部分の一方の段の端子と前記第２のコネクタ部分の一方の段の端子とを構成する第１の電気接続ピンと、前記第１のコネクタ部分の他方の段の端子と前記第２のコネクタ部分の他方の段の端子とを構成する第２の電気接続ピンを含み、
前記第１及び前記第２の電気接続ピンは、前記第１のコネクタ部分の端子位置に対して中間部において端子列方向の相互に逆方向へそれぞれ１／４ピッチずつ偏移している（５）記載のコネクタ装置。
（７）：前記第１の電気接続ピンの前記湾曲部と前記第２の電気接続ピンの前記湾曲部とは、前記第１のコネクタ部分に対する前記電気装置の挿抜方向へ相互にずれた位置となっている（６）記載のコネクタ装置。
（８）：前記第１及び前記第２のコネクタ部分の対峙方向へ延び前記第２のコネクタ部分には固定され前記第１のコネクタ部分を延び方向へ相対変位自在に案内する案内軸、
を有している（３）記載のコネクタ装置。
（９）：前記案内軸は、前記第１のコネクタ部分から突出する端部を有し、該端部は、前記電気装置を前記第１のコネクタ部分の方へ案内するガイドレールの所定穴又は溝に嵌合して、前記ガイドレールと前記第１のコネクタ部分との相互の位置決めを行うようになっている（８）記載のコネクタ装置。
（１０）：前記電気装置は、前記コネクタ装置と共通の筐体内に配置されるハード・ディスク装置である（３）記載のコネクタ装置。
（１１）：前記ハード・ディスク装置は、携帯型コンピュータに着脱自在に装備されるものであり、前記第２のコネクタ部分は、前記携帯型コンピュータの筐体内において該筐体に固定されるプリント基板である（１０）記載のコネクタ装置。
【００２５】
【発明の効果】
本発明のコネクタ装置では、ＨＤ等の電気装置を接続されるコネクタ部分は、基板等の被組付け部材から適当に浮かされてかつ該部材に対する相対変位を許容しつつ弾力的に該部材に組付けられる。結果、フレキシブルケーブルを使用することなく、筐体衝撃時に被組付け部材からコネクタ装置を介して電気装置に伝わる衝撃力のピーク値を十分に低下させることができる。
【図面の簡単な説明】
【図１】ノート型コンピュータを開いた状態で示す斜視図である。
【図２】本体内におけるＨＤ及びコネクタ等の配置関係を示す斜視図である。
【図３】本体内におけるＨＤの配置部の下の構造を示す図である。
【図４】コネクタの正面図である。
【図５】コネクタの平面図である。
【図６】図５においてコネクタの上方から上側コネクタ部分及び下側コネクタ部分を透視して下側コネクタ部分の下面における電気接続ピン下端の配列を示す図である。
【図７】コネクタの右側面図である。
【図８】コネクタの垂直断面と共に上段用電気接続ピンの垂直面上の形状を示す図である。
【図９】コネクタの垂直断面と共に下段用電気接続ピンの垂直面上の形状を示す図である。
【図１０】コネクタの一部を背面から見た図である。
【符号の説明】
１５　　筐体
１９　　ＨＤ（電気装置）
２０　　コネクタ（コネクタ装置）
２７　　プリント基板（筐体側部材）
３８　　上側コネクタ部分（コネクタ部材、第１のコネクタ部分）
３９　　下側コネクタ部分
４２　　案内軸
４９　　ピン挿通孔
５３　　上段用電気接続ピン（電気接続ピン、弾性部材）
５４　　下段用電気接続ピン（電気接続ピン、弾性部材）
６０，７０　　Ｕ字状弾力部（弾力変形部）
５６，６６　　上端部分
５９，６９　　下端部分
【図１】
2004071356.tif 000003
【図２】
2004071356.tif 000004
【図３】
2004071356.tif 000005
【図４】
2004071356.tif 000006
【図５】
2004071356.tif 000007
【図６】
2004071356.tif 000008
【図７】
2004071356.tif 000009
【図８】
2004071356.tif 000010
【図９】
2004071356.tif 000011
【図１０】
2004071356.tif 000012